(57)【要約】【課題】イジェクト信号を伝送する２つの伝送ケーブルを使用形態に応じて選択して接続可能にする。【解決手段】本体ケース３とベゼル４との間には、イジェクト基板１０が配される。イジェクト基板１０には、イジェクトスイッチ１１及びＬＥＤ１２が取り付けられる。イジェクト基板１０には、フラットケーブル１５の一端部１５ａが接続される。本体ケース３内には、駆動制御基板２５が配され、駆動制御基板２５にはコネクタ２６が取り付けられる。イジェクトスイッチ１１によりディスク５をイジェクトするときには、フラットケーブル１５の接続端子部１５ｂをコネクタ２６に接続し、記録／再生装置４０の外部イジェクトスイッチ５４によりディスク５をイジェクトするときには、イジェクト基板１０及びフラットケーブル１５を取り外し、外部フラットケーブル５５の接続端子部５５ｂをコネクタ２６に接続する。【選択図】図３
2010092558.tif 000002
【特許請求の範囲】
【請求項１】
本体ケース内にローディングされたディスクにアクセスしてデータの記録／再生を行うデータ記録／再生手段と、
モータで駆動され、前記本体ケース内の所定位置に前記ディスクをローディングし、または前記本体ケース外に前記ディスクをイジェクトするディスク搬送機構と、
イジェクト信号の入力に応答し、ローディングされた前記ディスクを前記本体ケース外にイジェクトするように前記ディスク搬送機構を駆動する駆動制御回路と、
前記ケース本体に設けられたイジェクトスイッチからのイジェクト信号を伝送する第１伝送ケーブルと、前記ケース本体外から供給される前記イジェクト信号を伝送する第２伝送ケーブルとのいずれか一方が選択して接続され、前記いずれか一方からのイジェクト信号を前記駆動制御回路に入力するコネクタと、を備えることを特徴とするディスク装置。
【請求項２】
前記駆動制御回路と前記コネクタとが共通の回路基板に設けられ、前記コネクタは前記本体ケースから外部に露呈されていることを特徴とする請求項１記載のディスク装置。
【請求項３】
前記コネクタを露呈させる開口が形成された前記本体ケースの一面に、前記第１伝送ケーブルを前記コネクタに接続するときに前記第１伝送ケーブルが順次に挿通される複数の挿通開口が一列に並んで形成されていることを特徴とする請求項１または２記載のディスク装置。
【請求項４】
請求項１ないし３いずれか１つ記載のディスク装置と、
前記ディスク装置を制御するディスク装置制御回路と、
前記ディスク装置を収納する外装ケースと、
前記外装ケースに設けられ、前記第２伝送ケーブルに前記イジェクト信号を発信する信号発信部と、を備えることを特徴とする電子機器。
【発明の詳細な説明】
【技術分野】
【０００１】
本発明は、ディスクを自動的にイジェクト可能なディスク装置及びこれを備えた電子機器に関するものである。
【背景技術】
【０００２】
ディスク装置は、ターンテーブルに装着されたディスクをスピンドルモータにより回転させながら、ピックアップヘッドをスレッドモータにより移動してディスクにアクセスし、データを高密度で記録したり、あるいはディスクのデータを読み出して再生する。このディスク装置は、電子機器、例えばコンピュータやカーナビ装置等に内蔵されたり、あるいは外付けされて用いられる。
【０００３】
ディスク装置は、本体ケース前面に設けられたスロットからディスクを単体で装填するスロットインタイプや、ディスクトレイを介してディスクを装填するトレイインタイプがある。スロットインタイプのディスク装置では、ディスクをスロットに差し込むと、搬送モータが正回転し、複数のアームを有するディスク搬送機構（ディスクローディング機構）によりディスクが保持されて本体ケース内にローディングされる。また、搬送モータが逆回転すると、ディスク搬送機構によりディスクが本体ケース外へイジェクトされる。
【０００４】
トレイインタイプのディスク装置では、ディスクが載せられるディスクトレイが、搬送モータの回転により、本体ケース内部に格納される格納位置と、本体ケースから引き出された引出し位置との間で移動する。搬送モータが正回転すると、ディスクトレイが引出し位置から格納位置まで移動し、ディスクが本体ケース内にローディングされる。搬送モータが逆回転すると、ディスクトレイが格納位置から引出し位置まで移動し、ディスクが本体ケース外へイジェクトされる。
【０００５】
スロットインタイプでは、本体ケースの前面にベゼルが取り付けられており、トレイインタイプでは、ディスクトレイの前面にベゼルが取り付けられている。スロットインあるいはトレイインのいずれのタイプでも、ベゼルにイジェクトボタンが設けられるのが通常である。このイジェクトボタンを操作すると、ディスク搬送機構の駆動を制御する駆動制御回路にイジェクト信号が入力される。これに応答して駆動制御回路は前記搬送モータを逆回転させ、ディスク搬送機構がローディングされているディスクをケース本体外へイジェクトするようになっている。
【０００６】
ところで、上記のようにユニット化されたディスク装置を例えばパソコン等の電子機器に組み込むにあたっては、特許文献１で知られるように、必ずしもディスク装置のベゼルを外部に露呈させないこともある。こうした場合には、電子機器の外装ケースに設けられたイジェクトボタンの操作でディスク装置のイジェクトボタンが作動するように、アームなどの連動機構が用いられている。
【０００７】
しかしながら、特許文献１記載のディスク装置では、電子機器に内蔵されたディスク装置のイジェクトボタンと、電子機器外装ケースに設けられたイジェクトボタンとの間に機械的な連動機構を必要とし、部品点数や組立工数が増えてコストアップの原因になっている。これを避けるには、ディスク装置側のイジェクトボタンやその操作を検知するイジェクトスイッチを省略し、電子機器外装ケースにイジェクトボタンとイジェクトスイッチとを設けるとともに、このイジェクトスイッチから得られるイジェクト信号をディスク装置の駆動制御回路に入力するように構成するのが有利である。
【特許文献１】特開２００１−０６７７６０号公報
【発明の開示】
【発明が解決しようとする課題】
【０００８】
しかしながら、ディスク装置側のイジェクトスイッチは、搬送モータやデータ記録／再生用のヘッド送りに用いられているスレッドモータなどとともに共通のフレキシブルプリント基板（ＦＰＣ）を介して前述の駆動制御回路に接続されているのが通常である。そして、部品の共通化によるコストダウンを図るために、このＦＰＣはディスク装置側にイジェクトスイッチを必要としない場合であっても共用されるのがほとんどである。したがって、電子機器外装ケースに設けられたイジェクトボタンから駆動制御回路にイジェクト信号を入力することができるように、上記の共用ＦＰＣのほかに別の信号伝送系が必要となり、電気配線の引き回しやハンダ付け作業などを考慮すると、ディスク装置自体あるいはこれを内蔵する電子機器の製造を効率化する上でマイナス要因となっている。
【０００９】
本発明は、上記課題を解決するためになされたものであり、イジェクト信号を伝送する２つの伝送ケーブルを使用形態に応じて選択して接続可能なディスク装置及びこれを備えた電子機器を提供することを目的とする。
【課題を解決するための手段】
【００１０】
上記目的を達成するために、本発明のディスク装置は、本体ケース内にローディングされたディスクにアクセスしてデータの記録／再生を行うデータ記録／再生手段と、モータで駆動され、前記本体ケース内の所定位置に前記ディスクをローディングし、または前記本体ケース外に前記ディスクをイジェクトするディスク搬送機構と、イジェクト信号の入力に応答し、ローディングされた前記ディスクを前記本体ケース外にイジェクトするように前記ディスク搬送機構を駆動する駆動制御回路と、前記ケース本体に設けられたイジェクトスイッチからのイジェクト信号を伝送する第１伝送ケーブルと、前記ケース本体外から供給される前記イジェクト信号を伝送する第２伝送ケーブルとのいずれか一方が選択して接続され、前記いずれか一方からのイジェクト信号を前記駆動制御回路に入力するコネクタと、を備えることを特徴とする。
【００１１】
また、前記駆動制御回路と前記コネクタとが共通の回路基板に設けられ、前記コネクタは前記本体ケースから外部に露呈されていることが好ましい。
【００１２】
さらに、前記コネクタを露呈させる開口が形成された前記本体ケースの一面に、前記第１伝送ケーブルを前記コネクタに接続するときに前記第１伝送ケーブルが順次に挿通される複数の挿通開口が一列に並んで形成されていることが好ましい。
【００１３】
また、本発明の電子機器は、上記ディスク装置と、前記ディスク装置を制御するディスク装置制御回路と、前記ディスク装置を収納する外装ケースと、前記外装ケースに設けられ、前記第２伝送ケーブルに前記イジェクト信号を発信する信号発信部と、を備えることを特徴とする。なお、前記電子機器としては、コンピュータシステムの一部を構成するパソコン本体や、カーナビ装置、ＣＤプレーヤ、ＤＶＤプレーヤ等が挙げられる。
【発明の効果】
【００１４】
本発明によれば、本体ケース内にローディングされたディスクをイジェクトするためのイジェクト信号を駆動制御回路に入力するコネクタに、本体ケースに設けられたイジェクトスイッチからのイジェクト信号を伝送する第１伝送ケーブルと、ケース本体外から供給されるイジェクト信号を伝送する第２伝送ケーブルとのいずれか一方が選択して接続されるから、ディスク装置の使用形態に応じて、第１伝送ケーブルと第２伝送ケーブルとのいずれをコネクタに接続するかを選択することができる。
【発明を実施するための最良の形態】
【００１５】
以下、スロットインタイプのディスク装置に本発明を適用した実施形態について説明する。図１に示すように、ディスク装置２は、本体ケース３とベゼル４とを備える。ベゼル４には、ディスク５を挿入するスロット４ａと、ディスク５のイジェクトを指示するためのイジェクトボタン６と、ディスク装置２の動作状態を表示するためのインジケータ用開口７とが設けられている。
【００１６】
図２及び図３に示すように、ベゼル４は、本体ケース３の前面３ａに取り付けられる。前面３ａには、係止孔８が２個形成されている。ベゼル４には、係止孔８に挿入されるフック部４ｂが２個形成されている。フック部４ｂを係止孔８に挿入すると、フック部４ｂが係止孔８に係止され、ベゼル４は本体ケース３に着脱自在に取り付けられる。
【００１７】
本体ケース３とベゼル４との間には、イジェクト基板１０が配されている。このイジェクト基板１０には、イジェクトスイッチ１１及びＬＥＤ１２が取り付けられている。イジェクト基板１０は、両面テープ１３により、本体ケース３の前面３ａに貼り付けられている。
【００１８】
イジェクト基板１０には、フレキシブルフラットケーブル（以下、フラットケーブルと称する）１５の一端部１５ａが接続されている。フラットケーブル１５の他端部には、導体が露出した接続端子部１５ｂが設けられている。
【００１９】
本体ケース３の前面３ａには、フラットケーブル１５が挿入されるケーブル挿入開口１７と、スロット４ａからのディスク５が挿入されるディスク挿入開口１８とが形成されている。
【００２０】
本体ケース３の底面３ｂには、フラットケーブル１５が挿通される第１〜第３挿通開口２１〜２３が形成されている。ケーブル挿入開口１７から本体ケース３内に挿入されたフラットケーブル１５は、第１挿通開口２１から一度本体ケース３外に出て、第２挿通開口２２から本体ケース３内に入り、第３挿通開口２３から再び本体ケース３外に出る。これにより、フラットケーブル１５の浮き上がりが防止される。なお、粘着テープによりフラットケーブル１５を本体ケース３に貼り付けて浮き上がりを防止してもよい。
【００２１】
本体ケース３内には、ディスク装置２の駆動を制御するための駆動制御基板２５が配され、この駆動制御基板２５にはコネクタ２６が取り付けられている。このコネクタ２６は、本体ケース３の底面３ｂに形成された露呈開口２８から露呈する。本体ケース３の底面３ｂには、各開口２１〜２３，２８を遮蔽する遮蔽シート（図示せず）が貼り付けられる。
【００２２】
コネクタ２６には、接続開口２６ａが形成されている。この接続開口２６ａ内には、接続端子が設けられている。接続開口２６ａには、接続端子部１５ｂが挿抜自在に挿入される。ディスク装置２では、接続端子部１５ｂの接続開口２６ａへの挿入により、接続端子部１５ｂが接続開口２６ａ内の接続端子に接続され、イジェクトスイッチ１１及びＬＥＤ１２がコネクタ２６に接続される。
【００２３】
図４に示すように、ディスク装置２には、周知のディスク搬送機構３１と、搬送モータ３２と、ピックアップヘッドを有するヘッドユニット３３と、スレッドモータ３４と、スピンドルモータ３５と、ターンテーブル３６と、これらを制御するディスクドライブコントローラ３７とが設けられている。このディスクドライブコントローラ３７は、駆動制御基板２５に設けられ、コネクタ２６が接続されている。
【００２４】
スピンドルモータ３５は本体ケース３のほぼ中央部に配され、スレッドモータ３４はスピンドルモータ３５の近傍に配され、搬送モータ３２は各モータ３４，３５から離れて本体ケース３の前側端部に配されている。スレッドモータ３４及びスピンドルモータ３５は、ＦＰＣ（図示せず）により駆動制御基板２５に接続されている。このＦＰＣの長さを短くするために、搬送モータ３２は接続コード（図示せず）によりＦＰＣに接続され、ＦＰＣを介して駆動制御基板２５に接続されている。各モータ３２，３４，３５は、ディスクドライブコントローラ３７からの制御信号を受けて駆動する。
【００２５】
ディスク搬送機構３１は、搬送モータ３２により駆動される。ディスク搬送機構３１は、搬送モータ３２が正回転したときには、ディスク５を本体ケース３内にローディングし、搬送モータ３２が逆回転したときには、ディスク５のほぼ１／３がスロット４ａから露出するイジェクト位置に向けてディスク５をイジェクトする。
【００２６】
ターンテーブル３６は、スピンドルモータ３５の駆動軸に固定されており、ディスク搬送機構３１によりローディングされたディスク５が装着される。ヘッドユニット３３は、スレッドモータ３４の駆動によりディスク５の径方向に移動しながら、ディスク５にアクセスしてデータを記録／再生する。本実施形態では、データ記録／再生手段は、ヘッドユニット３３と、スレッドモータ３４と、スピンドルモータ３５とから構成される。
【００２７】
次に、ディスク装置２の作用について説明する。ディスク５のほぼ２／３がスロット４ａに挿入されると、ディスク搬送機構３１の第１のスイッチがオンとなり、ディスクドライブコントローラ３７は、搬送モータ３２を正回転する。搬送モータ３２が正回転すると、ディスク５は、ディスク搬送機構３１により本体ケース３内に自動的にローディングされる。そして、ディスク５は、ターンテーブル３６に装着され、記録／再生位置にセットされる。ディスク５が記録／再生位置にセットされると、ディスク搬送機構３１の第２のスイッチがオンとなり、ディスクドライブコントローラ３７は、搬送モータ３２を停止する。ターンテーブル３６に装着されたディスク５は、ターンテーブル３６とともにスピンドルモータ３５で回転され、ディスク５の径方向に移動するヘッドユニット３３によりデータが記録／再生される。ディスクドライブコントローラ３７は、ディスク装置２の動作状態に応じてＬＥＤ１２を点灯する。ＬＥＤ１２の点灯は、インジケータ用開口７を通して確認することができる。
【００２８】
ディスク５をイジェクトするときには、イジェクトボタン６を押圧する。イジェクトボタン６を押圧すると、イジェクトスイッチ１１からイジェクト信号が出力される。このイジェクト信号は、フラットケーブル１５及びコネクタ２６を介してディスクドライブコントローラ３７に入力される。ディスクドライブコントローラ３７は、イジェクト信号が入力されると、スレッドモータ３４及びスピンドルモータ３５を停止した後、搬送モータ３２を逆回転する。搬送モータ３２が逆回転すると、ディスク搬送機構３１は、イジェクト位置に向けてディスク５をイジェクトする。ディスク５がイジェクト位置までイジェクトされると、ディスク搬送機構３１の第３のスイッチがオンとなり、ディスクドライブコントローラ３７は、搬送モータ３２を停止する。イジェクトされたディスク５は、操作者の指でつままれ、スロット４ａから引き出される。
【００２９】
図５及び図６に示す記録／再生装置４０は、内蔵タイプのディスク装置１０２を備える。このディスク装置１０２は、ディスク装置２から、ベゼル４が取り外され、コネクタ２６からフラットケーブル１５の接続端子部１５ｂが引き抜かれて、イジェクト基板１０及びフラットケーブル１５が取り外されている。それ以外は、ディスク装置２と同様に構成されている。
【００３０】
記録／再生装置４０は、上面及び前面が開口したケース本体４１と、上カバー４２と、前面パネル４３とからなる外装ケース４４を備える。この外装ケース４４内に、ディスク装置１０２が固定される。
【００３１】
前面パネル４３には、ディスク５が挿入されるスロット４３ａ、電源ボタン４５、再生ボタン４６、停止ボタン４７、外部イジェクトボタン４８が設けられている。スロット４３ａは、ディスク装置１０２のディスク挿入開口１８に連通する。
【００３２】
各ボタン４５〜４８の後方には、操作基板５０が配されている。この操作基板５０には、電源スイッチ５１、再生スイッチ５２、停止スイッチ５３、外部イジェクトスイッチ５４が設けられている。外部イジェクトスイッチ５４には、外部フラットケーブル５５の一端部５５ａが接続されている。この外部フラットケーブル５５の他端部には、導体が露出した接続端子部５５ｂが設けられている。ディスク装置１０２では、この接続端子部５５ｂがコネクタ２６に接続されている。
【００３３】
記録／再生装置４０には、電源部６１と、ディスク装置コントローラ６２とが設けられている。ディスク装置コントローラ６２は、ディスク装置１０２のディスクドライブコントローラ３７、電源スイッチ５１、再生スイッチ５２及び停止スイッチ５３に接続されている。電源部６１は、ディスク装置１０２とディスク装置コントローラ６２とに接続されている。記録／再生装置４０は、コンセント（図示せず）が商用電源に接続されている場合には、電源がオフのときにも、電源部６１が微量の電力をディスク装置１０２及びディスク装置コントローラ６２に供給する。コンセントを商用電源から取り外すと、電源部６１からの電力供給は完全に停止する。
【００３４】
次に、記録／再生装置４０の作用について説明する。電源ボタン４５を押圧すると、電源スイッチ５１からディスク装置コントローラ６２に電源オン信号が入力される。ディスク装置コントローラ６２は、電源オン信号が入力されると、電源部６１をオンしてディスク装置１０２及びディスク装置コントローラ６２に通常電力を供給する。前面パネル４３のスロット４３ａから挿入されたディスク５は、ディスク搬送機構３１により記録／再生位置にセットされる。記録／再生位置にセットされたディスク５は、スピンドルモータ３５で回転され、ヘッドユニット３３によりデータが記録／再生される。
【００３５】
停止ボタン４７を押圧すると、停止スイッチ５３からディスク装置コントローラ６２に停止信号が入力される。ディスク装置コントローラ６２は、停止信号が入力されると、ディスクドライブコントローラ３７を介してスレッドモータ３４及びスピンドルモータ３５を停止する。再生ボタン４６を押圧すると、再生スイッチ５２からディスク装置コントローラ６２に再生信号が入力される。ディスク装置コントローラ６２は、再生信号が入力されると、ディスクドライブコントローラ３７を介してスレッドモータ３４及びスピンドルモータ３５を駆動し、ディスク５は、ヘッドユニット３３によりデータが再生される。
【００３６】
外部イジェクトボタン４８を押圧すると、外部イジェクトスイッチ５４からイジェクト信号が出力される。このイジェクト信号は、外部フラットケーブル５５及びコネクタ２６を介してディスク装置１０２のディスクドライブコントローラ３７に入力される。ディスクドライブコントローラ３７は、イジェクト信号が入力されると、記録／再生時にはスレッドモータ３４及びスピンドルモータ３５を停止した後に、停止時には即時に搬送モータ３２を逆回転する。搬送モータ３２が逆回転すると、ディスク搬送機構３１によりディスク５がイジェクト位置までイジェクトされる。
【００３７】
電源がオフのときに、外部イジェクトボタン４８を押圧した場合、ディスクドライブコントローラ３７は、イジェクト信号が入力されたことに応答して、電源部６１をオンする。この場合には、電源部６１は、ディスク装置１０２にのみ通常電力を供給し、ディスク搬送機構３１によるディスク５のイジェクトが行われる。ディスク装置コントローラ６２に通常電力を供給せずに、ディスク５をイジェクトすることができるから、消費電力を抑制することができる。
【００３８】
また、記録／再生装置４０に内蔵されるディスク装置１０２は、イジェクト基板１０及びフラットケーブル１５が取り外されるから、部品点数の削減及びコストダウンを図ることができる。
【００３９】
さらに、ディスク装置の使用形態に応じて、フラットケーブル１５と外部フラットケーブル５５とのいずれをコネクタ２６に接続するかを選択することができる。
【００４０】
また、イジェクトスイッチ１１と駆動制御基板２５とをフラットケーブル１５により接続し、スレッドモータ３４及びスピンドルモータ３５と駆動制御基板２５との接続とは別にしたから、これら全てを１つの共通したＦＰＣにより駆動制御基板２５に接続するものに比べて、ＦＰＣを短くすることができる。これにより、コストダウンを図ることができる。
【００４１】
なお、外部イジェクトボタン及び外部イジェクトスイッチに代えて、リモコンからのイジェクト用電波を受信する受信部を設け、この受信部とコネクタとを外部フラットケーブルにより接続してもよい。
【００４２】
また、上記実施形態では、フラットケーブルの先端部に設けられた接続端子部をコネクタに挿入して接続したが、フラットケーブルの先端部にプラグを設け、このプラグをコネクタに接続するようにしてもよい。
【００４３】
さらに、内蔵タイプのディスク装置１０２でも、ベゼルを記録／再生装置の前面パネルから露呈する場合には、イジェクトボタン用の開口及びインジケータ用開口が形成されていない新たなベゼルを取り付ける。この新たなベゼルは、上記開口を形成する必要がないため、デザインの自由度が高くなる。
【００４４】
また、上記実施形態では、スロットインタイプのディスク装置について説明したが、トレイインタイプのディスク装置にも、本発明を利用することができる。
【図面の簡単な説明】
【００４５】
【図１】ディスク装置の外観斜視図である。
【図２】ディスク装置の底面斜視図である。
【図３】ディスク装置の分解斜視図である。
【図４】ディスク装置の駆動機構の電気的構成を示すブロック図である。
【図５】記録／再生装置の分解斜視図である。
【図６】記録／再生装置の駆動機構の電気的構成を示すブロック図である。
【符号の説明】
【００４６】
２，１０２  ディスク装置
３  本体ケース
１１  イジェクトスイッチ
１５  フラットケーブル（第１伝送ケーブル）
２１〜２３  第１〜第３挿通開口
２５  駆動制御基板
２６  コネクタ
３１  ディスク搬送機構
３７  ディスクドライブコントローラ（駆動制御回路）
４０  記録／再生装置
４４  外装ケース
５４  外部イジェクトスイッチ（信号発信部）
５５  外部フラットケーブル（第２伝送ケーブル）
６２  ディスク装置コントローラ（ディスク装置制御回路）
【図１】
2010092558.tif 000003
【図２】
2010092558.tif 000004
【図３】
2010092558.tif 000005
【図４】
2010092558.tif 000006
【図５】
2010092558.tif 000007
【図６】
2010092558.tif 000008